(57)【特許請求の範囲】
【請求項１】
一対のアームを間隔を置いて連結材により連結してなるフレームに養生シートの上部を取付けて垂下させ、該フレームの下部を作業用足場の手摺の下部横部材に係止すると共に、フレームの中程部分に一端が取付けられた支持部材の他端を手摺の上部横部材に係止することから成り、これによってブロック毎に養生シートで作業用足場を覆うようにしたことを特徴とする吹付耐火被覆工法。
【請求項２】
支持部材の長さを調節可能として養生シートと作業用足場の間の間隔を調整できることを特徴とする請求項１記載の吹付耐火被覆工法。
【請求項３】
不使用時に、フレームの下部を作業用足場の手摺の下部横部材から取外してフレームを支持部材だけでほぼ垂直な状態に保持することを特徴とする請求項１記載の吹付耐火被覆工法。
【請求項４】
養生シートがフレームから床面にまで十分な長さをもって垂下されていることを特徴とする請求項１記載の吹付耐火被覆工法。
【請求項５】
ブロック毎の養生シートによる吹付材の飛散防止が図られ、異物混入が防止されることにより吹付材を再使用することを特徴とする請求項１記載の吹付耐火被覆工法。
【請求項６】
一対のアームを間隔を置いて連結材により連結してなるフレーム、所要のブロックを覆うよう該フレームに上部が取付けられて垂下される養生シートから成り、該フレームの下部を作業用足場の手摺の下部横部材に係止する係止部材と、フレームの中程部分に一端が取付けられて他端が手摺の上部横部材に係止される支持部材とが設けられたことを特徴とする吹付耐火被覆装置。
【請求項７】
支持部材が長さ調節可能に形成されていることを特徴とする請求項６記載の吹付耐火被覆装置。
【請求項８】
フレームの下部にフック部材を設けて作業用足場の手摺の下部横部材に取外し自在に係止されることを特徴とする請求項６記載の吹付耐火被覆装置。
【請求項９】
養生シートが引掛フック部材によってフレームに取付けられることを特徴とする請求項６記載の吹付耐火被覆装置。
【発明の詳細な説明】
【０００１】
【発明の属する技術分野】
本発明は吹付耐火被覆工法および装置、特に、鉄骨建物の耐火被覆吹付工事における耐火被覆吹付材の飛散を防止するための被覆工法および装置に関するものである。
【０００２】
【従来の技術】
従来、鉄骨構造建築物は火災時における建築物の倒壊を防ぐために、主要構造部である柱や梁等に耐火被覆を施し、建築基準法に定められている耐火時間の性能を確保しなければならない。
【０００３】
このような鉄骨構造物の耐火被覆には塗り材、吹付材、成型板、ブランケットタイプ等による種々なものがあるが、この中でもロックウールを主原料とした吹付材による施工が殆どを占めているのが現状である。
【０００４】
【発明が解決しようとする課題】
しかし乍ら、このような吹付耐火被覆工事では吹付材の一部が鉄骨構造物の梁や柱に当たって跳ね返ったり、鉄骨構造物の梁や柱等の的から外れて周辺に飛散して落下して作業場や周囲の雰囲気を汚染する等の問題が見られる。また、建築構造物の本体工事の内、外周壁が取付けられていない状態で吹付耐火被覆工事を行う場合が屡々有るために外部近隣への吹付材の飛散も発生する状態となる。
【０００５】
このために、現状の対策としては外周壁に養生シートを仮設すると共に、作業場内を大区画に養生シートを仮設する等の工事を吹付耐火被覆工事業者が実施するのが一般的である。
【０００６】
従来のこのような養生シートの仮設方法では大がかりな工事となると共に、作業環境面において同一作業階での他業種との複層作業が難しく、また、床面に飛散した吹付材に他業種の工事で発生した異物が混入することが多く、落ちた吹付材の再利用の妨げとなったり、更に、吹付材が作業場内の広い範囲に亘って飛散するために床や他の部位の清掃時間に時間が掛かり、吹付作業そのものの実稼働時間に大きな影響をもたらす等の問題が見られる。
【０００７】
従って、本発明の目的は、このような従来における問題を解決するために、鉄骨構造物の梁や柱等に吹付耐火被覆を施す際に現場において生じる吹付材の飛散を最小ブロック毎に防止すると共に、吹付作業用の各種鋼管足場や高所作業車等の手摺を利用して養生シートを簡単に取付け取外しできることを特徴とする吹付耐火被覆工法および装置を提供することにある。
【０００８】
【課題を解決するための手段】
上述の目的を達成するために、本発明によれば、吹付耐火被覆工法は、一対のアームを間隔を置いて連結材により連結してなるフレームに養生シートの上部が取付けられて垂下されて成り、該フレームの下部を作業用足場の手摺の下部横部材に係止すると共に、フレームの中程部分に一端が取付けられた支持部材の他端を手摺の上部横部材に係止してブロック毎に養生シートで覆うようにしたことを特徴とする。
【０００９】
また、本発明の吹付耐火被覆工法は、ブロック毎の養生シートによる吹付材の飛散防止が図られ、異物混入が防止されることにより、吹付材を再使用することを特徴とする。
【００１０】
更に、本発明の吹付耐火被覆装置は、一対のアームを間隔を置いて連結材により連結してなるフレーム、所要のブロックを覆うよう該フレームに上部が取付けられて垂下される養生シートから成り、該フレームの下部を作業用足場の手摺の下部横部材に係止する係止部材と、フレームの中程部分に一端が取付けられて他端が手摺の上部横部材に係止される支持部材とが設けられたことを特徴とする。
【００１１】
【発明の実施の形態】
このように構成された本発明の吹付耐火被覆工法および装置に依れば、養生シートの上部が取付けられたフレームの下部を作業用足場の手摺の下部横部材に係止し、フレームの中程部分に一端が取付けられた支持部材の他端を手摺の上部横部材に係止してフレームを作業用足場の手摺に支持するので、これによって養生シートがフレームから下方に垂下してブロック毎に覆って吹付材の飛散を防止することができると共に、フレームを手摺に対して簡単に取付けたり取外すことができ、作業環境の改善をを図ることができるし、また、飛散した吹付材をブロック毎に集めることができるので、他業種の工事で起こり得る異物の、落ちた吹付材への混入を防ぐことができて落ちた吹付材の再使用が可能となり、同一作業階における他業種の作業者に与える影響度合いが緩和されて複層同時作業が可能となり、更に、作業終了後の床や他の部位の清掃時間が短縮されて吹付作業の十分な稼働時間が確保することができる。
【００１２】
本発明の他の目的や特徴は以下の添付図面に沿っての詳細な説明から明らかになろう。
【００１３】
【実施例】
図１乃至図４は本発明の吹付耐火被覆工法を実施するための装置の一実施例を示すもので、図示されるように、本発明による吹付耐火被覆装置１０は、一対のアーム１４を間隔を置いて連結材１５により連結してなるフレーム１１、作業用足場１の所要のブロックを覆うようフレーム１１に上部が取付けられて垂下される養生シート１２から成り、フレーム１１の下部を作業用足場１の手摺２の下部横部材４に係止する係止部材１６と、フレーム１１の中程部分に一端が取付けられて他端が手摺２の上部横部材５に係止される係止部材１７とが設けられている。
【００１４】
このような本発明の吹付耐火被覆装置１０は、図１に示されるような建築構造物において、吹付耐火被覆を施す際に使用する各種鋼管の作業用足場１を利用して所要のブロック毎に柱６と柱６の間を連結する大梁７、または大梁の間を連結する小梁に対して設置されるもので、作業用足場１の手摺２の部分に図２に示されるように取付けられる。例えば、図１においては、建築構造物の柱６と柱６の間の吹付耐火被覆を施す個所が３つのブロックＢ１、Ｂ２、Ｂ３に分けられており、これらブロックＢ１、Ｂ２、Ｂ３を順に吹付作業を行うものとして、先ず、その内の最初の１つのブロックＢ１において、本発明の吹付耐火被覆装置１０が設置されて用いられて吹付作業が行われ、次いで、ブロックＢ２、Ｂ３へと作業が移されて行われるものである。
【００１５】
図示されるように、フレーム１１は、一対の横方向に間隔を置いた垂直なアーム１４と、これらアーム１４を連結する連結部材１５とから枠形に形成されて成り、アーム１４の下部にフック部材１６が取付けられると共に、ほぼ中程に支持部材１８が適宜な取付部材１９を介して枢着されている。支持部材１８は長さが調節できる、例えば望遠鏡筒形のような伸縮できる部材が好適であり、他端に手摺２の上部横部材５に係止されるためのフック部材１７が設けられている。このようなフレーム１１は上端にフックのような適宜な係止部材２０によって養生シート１２の上端角部が取付けられ、下方部分において針金や紐またはフック等の他の適宜な係止部材２１等によって養生シート１２が係止されて取付られている。また、フレーム１１は鋼管部材やアルミ管部材等の金属管部材や、塩ビ管部材等の合成樹脂管部材等で造ることができるし、このような管部材の外に金属材料や木材、或いは合成樹脂材料等の他の適宜な枠部材やフレーム部材を用いて造ることもできる。更に、フレーム１１のアーム１４の上端部にはその高さを高くするために筒状のキャップ部材２２（図２）を差し込む等して用いることができる。
【００１６】
本発明の吹付耐火被覆装置１０に用いられる養生シート１２は目の粗い編織物や或いは塩化ビニール樹脂の編物状成型品等、またはキャンバスシート等の従来用いられているものを好適に使用することができる。
【００１７】
このように構成された本発明の吹付耐火被覆工法および装置によれば、作業者が作業用足場１の踏板３の上に載って作業するに際して、所要のブロックに対応して、フレーム１１の下端のフック部材１６が作業用足場１の手摺２の下部横部材４に引っ掛けられて支持されると共に、支持部材１８のフック部材１７が手摺２の上部横部材５に引っ掛けられて取付られる。従って、フレーム１１は図２および図３に示されるように手摺２の外側に上部が傾いて開いた状態に支持され、フレーム１１に上端が取付けられた養生シート１２が下方に垂れ下がった状態に吊下げ支持され、養生シート１２によって所要のブロック領域が覆われ、当該ブロックにおける吹付作業による吹付耐火被覆材の飛散を好適に防止することができる。また、この時のフレーム１１の外側への傾きは支持部材１８の長さを調節することによって所要する如く決めることができる。
【００１８】
このようにして所要のブロックにおける吹付作業が終了したならば、次の隣のブロックへと作業場所を変えるべく養生シート１２が取り外されて移される。すなわち、先ず、養生シート１２を摘んで持ち上げてフレーム１１に養生シート１２の荷重が掛からないようにしておき、支持部材１８のフック部材１７を上部横部材５から外すと共に、フレーム１１の下部のフック部材１６を下部横部材４から外してフレーム１１を上下横部材５、４に沿って横方向に所要のブロック幅だけ移動し、次いで、フック部材１７、１６を夫々横部材５、４に引っ掛けてフレーム１１を取付けて養生シート１２をフレーム１１から垂らせば必要な個所を養生シート１２によって覆うことができる。このようにして順次ブロック毎に養生シート１２を移動しながら取付けて吹付作業を行っていけば、所要の吹付が、吹付耐火被覆材が飛散することなく良好に行うことができる。
【００１９】
このように、本発明の吹付耐火被覆工法および装置においては、養生シート１２の上部が取付けられたフレーム１１の下部を作業用足場１の手摺２の下部横部材４に係止すると共に、フレーム１１の中程部分に一端が取付けられた支持部材１８の他端を手摺２の上部横部材５に係止してフレーム１１を作業用足場１の手摺２に支持するので、これによって、上端がフレーム１１に取付けられた養生シート１２がフレーム１１から下方に垂下して作業用足場１をブロック毎に覆うようにできる。
【００２０】
【発明の効果】
以上に説明したように、本発明によれば、請求項１の吹付耐火被覆工法は、一対のアームを間隔を置いて連結材により連結してなるフレームに養生シートの上部を取付けて垂下させ、該フレームの下部を作業用足場の手摺の下部横部材に係止すると共に、フレームの中程部分に一端が取付けられた支持部材の他端を手摺の上部横部材に係止することから成り、これによってブロック毎に養生シートで作業用足場を覆うようにしているので、ブロック毎の吹付被覆作業における吹付材の飛散を防止することができ、これによって、作業環境の改善を図ることができるし、飛散した吹付材をブロック毎に集めることができるので、他業種の工事で起こり得る異物の、落ちた吹付材への混入を防ぐことができて落ちた吹付材の再使用が可能となり、同一作業階における他業種の作業者に与える影響度合いが緩和されて複層同時作業が可能となり、更に、フレームを手摺に対して簡単に取付けたり取外すことができ、作業時間の短縮ができるし、作業終了後の床や他の部位の清掃時間が短縮されて吹付作業の十分な稼働時間が確保することができる。
【００２１】
また、本発明の請求項２の吹付耐火被覆工法は、支持部材の長さを調節可能としているので、養生シートと作業用足場の間の間隔を所要の間隔に任意に調整することができる。
【００２２】
更に、本発明の請求項３の吹付耐火被覆工法は、不使用時に、フレームの下部を作業用足場の手摺の下部横部材から取外してフレームを支持部材だけでほぼ垂直な状態に保持するので、簡単にフレームを取り扱うことができ、操作が簡略化される。
【００２３】
更にまた、本発明の請求項４の吹付耐火被覆工法は、養生シートがフレームから床面にまで十分な長さをもって垂下されるので、ブロック毎に好適に作業用足場を覆うことができる。
【００２４】
本発明の請求項５の吹付耐火被覆工法は、ブロック毎の養生シートによる吹付材の飛散防止が図られ、異物混入が防止されることにより吹付材を再使用するので、作業環境の改善を図ることができるし、他業種の工事で起こり得る異物の、落ちた吹付材への混入を防ぐことができ、同一作業階における他業種の複層同時作業が可能となる。
【００２５】
本発明の請求項６の吹付耐火被覆装置は、一対のアームを間隔を置いて連結材により連結してなるフレーム、所要のブロックを覆うよう該フレームに上部が取付けられて垂下される養生シートから成り、該フレームの下部を作業用足場の手摺の下部横部材に係止する係止部材と、フレームの中程部分に一端が取付けられて他端が手摺の上部横部材に係止される支持部材とが設けられているので、ブロック毎に養生シートで作業用足場を覆ってブロック毎の吹付被覆作業における吹付材の飛散を防止でき、これにより作業環境の改善を図ることができるし、他業種の工事で起こり得る異物の、落ちた吹付材への混入を防ぐことができて落ちた吹付材の再使用ができると共に、同一作業段における他業種の複層同時作業が可能となり、フレームを手摺に対して簡単に取付け取外すことができ、作業時間の短縮ができるし、作業終了後の床や他の部位の清掃時間が短縮されて吹付作業の十分な稼働時間が確保できる。
【００２６】
また、本発明の請求項７の吹付耐火被覆装置は、支持部材が長さ調節可能に形成されているので、養生シートを作業用足場から所要の間隔に調節して吊り下げ支持することができる。
【００２７】
更に、本発明の請求項８の吹付耐火被覆装置は、フレームの下部にフック部材を設けているので、フレームを作業用足場の手摺の下部横部材に取外し自在に係止して支持することができる。
【００２８】
本発明の請求項９の吹付耐火被覆装置は、養生シートが引掛フック部材によってフレームに取付けられるので、簡単かつ容易に養生シートを取付けることができる。
【図面の簡単な説明】
【図１】本発明の吹付耐火被覆工法を実施するための吹付耐火被覆装置を示す建築構造物の平面概要図である。
【図２】図１の吹付耐火被覆装置の側面図である。
【図３】図２の吹付耐火被覆装置の拡大側面図である。
【図４】図３の吹付耐火被覆装置のフレームの正面図である。
【図５】図３の吹付耐火被覆装置のフレームを各作動位置で順次示す側面図である。
【符号の説明】
１  作業用足場
２  手摺
３  踏板
４  下部横部材
５  上部横部材
６  柱
７  大梁
１０  吹付耐火被覆装置
１１  フレーム
１２  養生シート
１４  アーム
１５  連結材
１６  フック部材
１７  フック部材
１８  支持部材
１９  取付部材
２０  係止部材
２１  係止部材
２２  キャップ部材
【図１】
0003872187.tif 000002
【図２】
0003872187.tif 000003
【図３】
0003872187.tif 000004
【図４】
0003872187.tif 000005
【図５】
0003872187.tif 000006